(57)【要約】【課題】      挿通端が魚の鼻に通りやすく、挿通した鼻環によって魚の鼻の傷付きを防止する鼻環を提供することである。【解決手段】  鼻環１は、金属からなる芯部２の表面に薄膜からなる表面層３を有する線材Ｓを環形状に屈曲して形成され、その一端が自由端となって魚の鼻に差し込むための挿通端部４を形成し、他端は、挿通端部４の周面に交差方向に向って配された取り付け端部６を形成している。  挿通端部４は、その先端側が表面層３を有しない芯部２が露出した状態となり、取り付け端部６に取り付けられた可撓性部材７が挿通端部４の表面層３で覆われた部分に当接している。  【０００９】【選択図】        図１
2009153416.tif 000002
【特許請求の範囲】
【請求項１】
金属の芯部にこれより軟らかい材料の表面層を設けた鼻環の挿通端部から前記芯部を露出させたことを特徴とする鼻環。
【請求項２】
挿通端部と反対側の端部に前記挿通端部の表面層に向かって突出する可撓性部材を取り付けたことを特徴とする請求項１に記載の鼻環。
【請求項３】
可撓性部材は、挿通端部の表面層に当接していることを特徴とする請求項２に記載の鼻環。
【請求項４】
金属の芯部にこれより軟らかい材料の表面層を設けた鼻環の挿通端部の前記表面層を除去して芯部を露出させたことを特徴とする鼻環の製造方法。
【発明の詳細な説明】
【技術分野】
【０００１】
本発明は、魚釣りに使用される鼻環に関する。
【背景技術】
【０００２】
従来特許文献１のように、鼻環の挿通端部に着色をしたものが記載されている。
この鼻環は、その挿通端を周辺より視認性の良い色に着色し、鼻環の挿通端の位置が確認しやすく容易に鮎の鼻に鼻環を通すことができるようにしたものであった。
しかし、鼻環の挿通端を塗料に漬け込む等、塗料を付着させて着色するため、鼻環の挿通部が太くなって鮎の鼻に通りにくくなるという不具合があった。
【特許文献１】実用新案登録第３１０７１７９号
【発明の開示】
【発明が解決しようとする課題】
【０００３】
解決しようとする問題点は、鼻環の挿通端に塗料を付着させて着色すると、鼻環の挿通部が太くなって魚の鼻に通りにくくなることである。
【０００４】
本発明の目的は前記欠点に鑑み、鼻環の挿通端が魚の鼻に通りやすく、挿通した鼻環によって魚の鼻の傷付きを防止した鼻環を提供することである。
【課題を解決するための手段】
【０００５】
本発明の請求項１は、金属の芯部にこれより軟らかい材料の表面層を設けた鼻環の挿通端部から前記芯部を露出させたことを要旨とするものである。
本発明の請求項２は、挿通端部と反対側の端部に前記挿通端部の表面層に向かって突出する可撓性部材を取り付けたことを要旨とするものである。
本発明の請求項３は、可撓性部材は、挿通端部の表面層に当接していることを要旨とするものである。
本発明の請求項４は、金属の芯部にこれより軟らかい材料の表面層を設けた鼻環の挿通端部の前記表面層を除去して芯部を露出させたことを要旨とするものである。
【発明の効果】
【０００６】
本発明により、鼻環の挿通端が魚の鼻に通りやすく、挿通した鼻環によって魚の鼻の傷付きを防止することができる。
【発明を実施するための最良の形態】
【０００７】
以下、図示の実施例によって本発明を説明すると、図１は鼻環の環形状に沿った断面図、図２は鼻環の開口部の部分横断面図、図３は製造方法を示すための鼻環の環形状に沿った断面図である。
【０００８】
本願の鼻環１は、金属からなる芯部２の表面に薄膜からなる表面層３を有する線材Ｓを環形状に屈曲して形成されている。
線材Ｓは、一端が自由端となって突出して魚の鼻に差し込むための挿通端部４を形成し、他端は、湾曲部５を挟んで、挿通端部４の周面に交差方向するように向いた状態で配された取り付け端部６を形成している。
【０００９】
芯部２は、ステンレスやチタン合金等の金属で形成され、表面層３は、合成樹脂等の芯部２よりも軟らかい材料からなり芯部２の外周を覆っている。
表面層３は染料等を含有した材料を用いて線材Ｓを着色することができ、魚に警戒心を与えない黒色等の暗色に着色されている。
【００１０】
一端の挿通端部４は、その先端側（自由端側）が表面層３を有しない芯部２が露出した状態となり、この芯部２が露出した部分は表面層３に比べ明色の金属肌であるため視認性が良好で、また、表面層３を有しないため表面層３で覆われた部分に比べ細径となっている。
挿通端部４の露出した芯部２の先端側は先細り状になるように傾斜面４ａが形成されている。
【００１１】
鼻環１の他端の取り付け端部６には可撓性部材７が取り付けられ、取り付け端部６から挿通端部４の間の間隙からなる開口部８を閉鎖している。
可撓性部材７は合成樹脂のチュ−ブで形成され、そのチュ−ブの一端が取り付け端部６に差し込まれて取り付けられ、チュ−ブの他端が自由端となって挿通端部４の周面に交差する方向で当接している。
なお、可撓性部材７はチュ−ブの中に充填材を入れることによってその弾性を調節できる。
【００１２】
可撓性部材７の先端は挿通端部４の表面層３で覆われた部分に当接し、これより挿通端部４の先端側２ｍｍ程度が芯部２が露出した部分となっている。
可撓性部材７はその長手方向の線分Ｂが挿通端部４の長手方向の線分Ａに対し、鼻環１の内側部９側に傾斜するように突出してして不用意に開口部８の外方に向かって変形し開口部８が開かないようになっている。
取り付け端部６に折曲状に形成した止着糸等の取付部６ａが形成されている。
【００１３】
鼻環１が使用されるときは、魚の鼻に挿通端部４を差し込み、可撓性部材７を図２に２点鎖線で示したように内側部９側に変形させながら開口部８を開き魚の鼻に刺し通す。
鼻環１の取り付けが完了すると可撓性部材７は元の開口部８を閉鎖した状態に戻り、魚の鼻から不用意に外れてしまうことを防止する。
【００１４】
魚の鼻に挿通端部４を差し込むときは、一端の挿通端部４は、その先端側（自由端側）が芯部２が露出した状態となっているため、視認性が良好であり、また、芯部２が露出した部分は表面層３を有する部分より細径になっているため魚の鼻に容易に刺し通すことができる。
また、挿通端部４の露出した芯部２の先端側は先細り状になるように傾斜面４ａが形成され、より魚の鼻への刺し通しが容易になっている。
【００１５】
また、線材Ｓの挿通端部４の他端は挿通端部４に交差方向から向いて配された取り付け端部６を形成し、一端が取り付け端部６に取り付けられた合成樹脂等の可撓性部材７の先端が自由端となって挿通端部４の周面の合成樹脂等の表面層３を有する部分に当接している。
したがって、その摩擦抵抗により可撓性部材７の先端が不用意に表面層３から離れて、開口部８が開いてしまうことが防止されている。
なお、  可撓性部材７の先端は挿通端部４の周面に当接していなくても、挿通端部４の近傍に達するように配され、開口部８を開閉するために可撓性部材７が変形したときに挿通端部４の周面に当接するようにしてもよい。
鼻環１を魚の鼻に取り付けると、表面層３が芯部２より軟らかい材料で形成したため魚を傷つけることが防止される。
【００１６】
鼻環１を製造するときは、図３のように、芯材２を所定の環形状に形成して表面層３を芯材２の表面に設けるか、または、予め表面層３を芯材２の表面に設けてから線材Ｓを所定の環形状に形成して、挿通端部４の先端側の表面層３をヤスリＹで削って除去し、芯部２の先端側を露出させる。
なお、図３は可撓性部材７の取り付け前の状態である。
また、挿通端部４の先端側の表面層３は溶剤等で溶かして除去することもできる。
このように挿通端部４の表面層３を除去して芯部２を露出させると挿通端部４が太径にならず、従来の挿通端部に塗料を付着させて着色した場合のように、付着させた塗料の剥離が防止される。
【産業上の利用可能性】
【００１７】
本願発明は、釣りに使用する鼻環全般に利用できる。
【図面の簡単な説明】
【００１８】
【図１】鼻環の環形状に沿った断面図である。
【図２】鼻環の開口部の部分横断面図である。
【図３】製造方法を示すための鼻環の環形状に沿った断面図である。
【符号の説明】
【００１９】
１  鼻環
２  芯部
３  表面層
４  挿通端部
６  取り付け端部
７  可撓性部材
【図１】
2009153416.tif 000003
【図２】
2009153416.tif 000004
【図３】
2009153416.tif 000005